(57)【特許請求の範囲】
【請求項１】
造営面に配設され、先行配線された電線を介して電力供給と情報信号の授受とを行う基本機能モジュールと、基本機能モジュールに接続され、基本機能モジュールを介して少なくとも電力の供給と情報信号の伝達との何れかが行われる拡張機能モジュールと、前記造営面に固定されるとともに、基本機能モジュールと並べた状態で拡張機能モジュールが取着される固定手段とを備え、
前記固定手段は、枠状に形成され、枠内に基本機能モジュールに並べて拡張機能モジュールを取着したプレート枠からなり、基本機能モジュールが埋込配設されるスイッチボックス、又は、造営材に設けた埋込用穴に基本機能モジュールを埋込配設するために用いる取付枠の何れかに前記プレート枠をねじ固定し、プレート枠の前面側にねじ固定部を隠すために化粧プレートを被着して、化粧プレートの窓孔から前記各機能モジュールの機能面を露出させるとともに、
前記プレート枠に、電力供給を行うための電源ラインと情報信号の伝達を行うための情報ラインとを設け、電源ラインおよび情報ラインと各機能モジュールの間を電気的に接続したことを特徴とする配線システム。
【請求項２】
前記電源ライン又は前記情報ラインの内の少なくとも何れか一方を剛性を有する導電板で構成し、当該導電板をプレート枠と一体的に設けたことを特徴とする請求項１記載の配線システム。
【請求項３】
前記プレート枠は、各機能モジュールの連設方向に沿う方向の横枠部材が、前記連設方向に沿って並べた複数の枠片を連結して構成されたことを特徴とする請求項１又は２の何れかに記載の配線システム。
【請求項４】
前記プレート枠の端部を造営面に固定するプレート固定手段を設けたことを特徴とする請求項１乃至３の何れかに記載の配線システム。
【請求項５】
前記化粧プレートの端部を造営面に固定するプレート固定手段を設けたことを特徴とする請求項１乃至４の何れかに記載の配線システム。
【請求項６】
造営面に配設され、先行配線された電線を介して電力供給と情報信号の授受とを行う基本機能モジュールと、基本機能モジュールに接続され、基本機能モジュールを介して少なくとも電力の供給と情報信号の伝達との何れかが行われる拡張機能モジュールと、前記造営面に固定されるとともに、基本機能モジュールと並べた状態で拡張機能モジュールが取着される固定手段とを備え、
前記固定手段は、前記各機能モジュールの連設方向に沿って配置されて、拡張機能モジュールが固定される連設用のレールからなり、基本機能モジュールが埋込配設されるスイッチボックス、又は、造営材に設けた埋込用穴に基本機能モジュールを埋込配設するために用いる取付枠の何れかに前記レールが固定され、
前記レールに、電力供給を行うための電源ラインと情報信号の伝達を行うための情報ラインとを設け、電源ラインおよび情報ラインと各機能モジュールの間を電気的に接続したことを特徴とする配線システム。
【請求項７】
前記レールの端部を造営面に固定するレール固定手段を設けたことを特徴とする請求項６記載の配線システム。
【請求項８】
前記電線が、電源供給のための電力線と、情報信号を伝送するための情報線とで構成されることを特徴とする請求項１乃至７の何れかに記載の配線システム。
【請求項９】
前記電線が電源供給のための電力線からなり、前記電力線を介して電力線搬送通信により情報信号を授受する電力線搬送通信手段を基本機能モジュール又は拡張機能モジュールの内の少なくとも何れか一方に設けたことを特徴とする請求項１乃至７の何れかに記載の配線システム。
【発明の詳細な説明】
【技術分野】
【０００１】
本発明は、配線システムに関するものである。
【背景技術】
【０００２】
従来、端末器を通じて負荷の操作（監視）制御を行うシステムには、中央監視装置から端末器へ、複極のベースバンド信号からなる伝送信号を時分割多重によって送り、各端末器ではこの伝送信号を利用して情報の授受を行うとともに、端末回路部の電源を得るシステムがあった（特許文献１）。
【０００３】
そしてこのシステムでは、埋め込み型の配線器具用に規格されているスイッチボックスとこれに対応する取付枠を用いて操作スイッチ等を設けた操作用端末器を壁面に埋め込み配設することで、従前の壁スイッチと同様な使い方が行われるようになっている。また２組の操作用端末器を取り付ける場合には、２つの取付窓を備えた２連用の取付枠を用い、取付枠の片側の一連分を一連型のスイッチボックスに取り付け、残りの片側を壁面に沿わせるように配置し、夫々の取付窓に操作用端末器を取り付けることで、２つの操作用端末器を併設する構成を採用していた。また取付窓間に設けた導電片を両側の取付窓に設けた操作用端末器のリード片を接触させることで、一方の操作用端末器（スイッチボックス側）から他方の操作用端末器へ信号線を送り配線する構成となっている。
【０００４】
ところで、このような従来システムでは伝送信号により端末器の端末回路部に電力を供給することができるものの、例えば信号線の電流容量等の制限から制御用端末器により制御される負荷への電源供給は夫々の設置場所において商用電源から供給する構成であった。そのため、２線の信号線を各端末器間で接続するだけでよいため、信号線について省配線化を図ることできるものの、負荷に対する電源線の配線が従前のままであるため、制御用端末器の設置場所が限定されるという課題があった。
【０００５】
そこで、このような課題を解決するために、造営面に固定されて、先行配線された電力線および情報線を介して電力の供給と情報信号の授受とを行う基本機能モジュールと、当該基本機能モジュールに連結され、基本機能モジュールを介して少なくとも電力の供給と情報信号の伝達との何れかが行われる拡張機能モジュールとを用いた配線システムが提案されており、この配線システムでは基本機能モジュールに対して拡張機能モジュールを連結するだけで、拡張機能モジュールにおいて電力路や情報路の確保を行うことができる。
【特許文献１】特許第３１３６００６号公報（段落番号０００４，０００５、００１５、図１、図３７）
【発明の開示】
【発明が解決しようとする課題】
【０００６】
上述した配線システムでは、基本機能モジュールに対して１乃至複数の拡張機能モジュールを横並びに連結しているため、連結する拡張機能モジュールの数が増えると、拡張機能モジュールを基本機能モジュールに連結する部位に偏荷重が加わり、拡張機能モジュールの接続状態が不安定になるという問題があった。
【０００７】
本発明は上記問題点に鑑みて為されたものであり、その目的とするところは、基本機能モジュールに連設される拡張機能モジュールを安定的に固定することができる配線システムを提供することにある。
【課題を解決するための手段】
【０００８】
上記目的を達成するために、請求項１の発明は、造営面に配設され、先行配線された電線を介して電力供給と情報信号の授受とを行う基本機能モジュールと、基本機能モジュールに接続され、基本機能モジュールを介して少なくとも電力の供給と情報信号の伝達との何れかが行われる拡張機能モジュールと、造営面に固定されるとともに、基本機能モジュールと並べた状態で拡張機能モジュールが取着される固定手段とを備え、固定手段は、枠状に形成され、枠内に基本機能モジュールに並べて拡張機能モジュールを取着したプレート枠からなり、基本機能モジュールが埋込配設されるスイッチボックス、又は、造営材に設けた埋込用穴に基本機能モジュールを埋込配設するために用いる取付枠の何れかにプレート枠をねじ固定し、プレート枠の前面側にねじ固定部を隠すために化粧プレートを被着して、化粧プレートの窓孔から各機能モジュールの機能面を露出させるとともに、プレート枠に、電力供給を行うための電源ラインと情報信号の伝達を行うための情報ラインとを設け、電源ラインおよび情報ラインと各機能モジュールの間を電気的に接続したことを特徴とする。
【０００９】
この発明によれば、造営面に固定される固定手段に対して、基本機能モジュールに接続される拡張機能モジュールが取り付けられるので、複数の拡張機能モジュールを連設する場合でも拡張機能モジュールを安定的に取り付けることができる。
【００１１】
しかも、スイッチボックス又は取付枠の何れかにねじ固定されるプレート枠に対して、拡張機能モジュールを取り付けているので、複数の拡張機能モジュールを連設する場合でも拡張機能モジュールを安定的に取り付けることができる。
【００１５】
さらに、プレート枠に各機能モジュールを固定するだけで、各機能モジュールの間を電気的に接続することができる。
【００１６】
請求項２の発明は、請求項１の発明において、電源ライン又は情報ラインの内の少なくとも何れか一方を剛性を有する導電板で構成し、当該導電板をプレート枠と一体的に設けたことを特徴とする。
【００１７】
この発明によれば、導電板をプレート枠と一体的に設けることでプレート枠の強度を高めることができ、複数の拡張機能モジュールをプレート枠に取り付けた場合にプレート枠が変形するのを防止することができる。
【００１８】
請求項３の発明は、請求項１又は２の何れかの発明において、プレート枠は、各機能モジュールの連設方向に沿う方向の横枠部材が、連設方向に沿って並べた複数の枠片を連結して構成されたことを特徴とする。
【００１９】
この発明によれば、連設する機能モジュールの数に合わせて、枠片の数を変更することで、横枠部材の長さを変化させることができる。
【００２０】
請求項４の発明は、請求項１乃至３の何れかの発明において、プレート枠の端部を造営面に固定するプレート固定手段を設けたことを特徴とする。
【００２１】
この発明によれば、プレート固定手段によりプレート枠の端部が造営面から浮き上がるのを防止できる。
【００２２】
請求項５の発明は、請求項１乃至４の何れかの発明において、化粧プレートの端部を造営面に固定するプレート固定手段を設けたことを特徴とする。
【００２３】
この発明によれば、プレート固定手段により化粧プレートの端部が造営面から浮き上がるのを防止できる。
【００２４】
請求項６の発明は、造営面に配設され、先行配線された電線を介して電力供給と情報信号の授受とを行う基本機能モジュールと、基本機能モジュールに接続され、基本機能モジュールを介して少なくとも電力の供給と情報信号の伝達との何れかが行われる拡張機能モジュールと、造営面に固定されるとともに、基本機能モジュールと並べた状態で拡張機能モジュールが取着される固定手段とを備え、固定手段は、各機能モジュールの連設方向に沿って配置されて、拡張機能モジュールが固定される連設用のレールからなり、基本機能モジュールが埋込配設されるスイッチボックス、又は、造営材に設けた埋込用穴に基本機能モジュールを埋込配設するために用いる取付枠の何れかにレールが固定され、レールに、電力供給を行うための電源ラインと情報信号の伝達を行うための情報ラインとを設け、電源ラインおよび情報ラインと各機能モジュールの間を電気的に接続したことを特徴とする。
【００２５】
この発明によれば、スイッチボックス又は取付枠の何れかに固定されるレールに対して、拡張機能モジュールを取り付けているので、複数の拡張機能モジュールを連設する場合でも拡張機能モジュールを安定的に取り付けることができる。
【００２７】
しかも、各機能モジュールをレールに取り付けるだけで、各機能モジュールの電力路と情報路を確保することができる。
【００２８】
請求項７の発明は、請求項６の発明において、レールの端部を造営面に固定するレール固定手段を設けたことを特徴とする。
【００２９】
この発明によれば、レール固定手段によりレールの端部が造営面から浮き上がるのを防止することができる。
【００３２】
請求項８の発明は、請求項１乃至７の何れかの発明において、電線が、電源供給のための電力線と、情報信号を伝送するための情報線とで構成されることを特徴とする。
【００３３】
この発明によれば、電力線と情報線とを用いて電力の供給と情報信号の伝送とを行うことができる。
【００３４】
請求項９の発明は、請求項１乃至７の何れかの発明において、電線が電源供給のための電力線からなり、電力線を介して電力線搬送通信により情報信号を授受する電力線搬送通信手段を基本機能モジュール又は拡張機能モジュールの内の少なくとも何れか一方に設けたことを特徴とする。
【００３５】
この発明によれば、電力線で情報線を兼用しているので、電線の本数を減らして、配線施工を簡略化することができる。
【発明の効果】
【００３６】
本発明によれば、造営面に固定される固定手段に対して、基本機能モジュールに接続される拡張機能モジュールが取り付けられるので、複数の拡張機能モジュールを連設する場合でも拡張機能モジュールを安定的に取り付けることができる。
【発明を実施するための最良の形態】
【００３７】
以下に本発明の実施の形態を図面に基づいて説明する。
【００３８】
（基本構成）
図１５に配線システムのシステム構成を示す。この配線システムでは、建物内の適所において１乃至複数のスイッチボックス９０を埋込配設してあり、始端のスイッチボックス９０に対しては、屋外より配線盤６内に引き込まれ主幹ブレーカＭＢおよび分岐ブレーカＢＢを介して屋内に引き込まれた電力線Ｌ１と、外部のインターネット網ＮＴにゲートウェイＧＷ（ルータ、ハブ内蔵）を介して接続される情報線Ｌ２とを導入する。また各スイッチボックス９０の間は壁面内に先行配線された電力線Ｌ１と情報線Ｌ２とを送り配線してある。
【００３９】
ここで、スイッチボックス９０は、例えばＪＩＳで規格化された大角形の１個モジュール寸法の埋込型の配線器具を３個取り付けることができる１連の取付枠７０（図５参照）に対応して規格化されたもので、図１５に示すように配線盤６又は他のスイッチボックス９０から送り配線されてくる電力線Ｌ１及び情報線Ｌ２をボックス内部に導入するとともに、他のスイッチボックス９０へ送り配線するための電力線Ｌ１及び情報線Ｌ２をボックスの外部へ導出している。なお、スイッチボックス９０には、図１４及び図１５に示すように室内の天井１００に設けられるものと、壁１０１に設けられるものと、床１０２に設けられるものとがある。
【００４０】
そして、各スイッチボックス９０の内部には、図４及び図５に示すゲート装置１が取付枠７０を用いて埋込配設されている。取付枠７０は矩形枠状であって、器具取付用の細長の取付窓７１を有しており、左右の枠片７２には取付窓７１の長手方向において器具取付孔７３を３組ずつ備えている。また取付枠７０の上下の枠片７４には、スイッチボックス９０に取り付けるための取付ねじ用の長孔７５や、壁を構成する石膏ボードなどに取り付けるための従来周知のはさみ金具（図示せず）が取着される取着孔７６や、前面側に後述のプレート枠８０を取り付けるためのプレートねじ用のねじ孔７７や、石膏ボードなどにタッピングねじにより直接ねじ固定するためのねじ挿通孔７８が少なくとも設けてある。この取付枠７０をスイッチボックス９０に取り付ける際には、取付枠７０の上下の枠片７４に設けた長孔７５に挿通する取付ねじ（図示せず）をスイッチボックス９０のねじ孔（図示せず）に締結することで、ゲート装置１ごとスイッチボックス９０に取り付けられる。
【００４１】
ゲート装置１は、規格化された単位寸法（１個モジュール寸法）の埋込型配線器具を短幅方向に３個並べた大きさ（３個モジュール寸法）のゲート装置本体１０を備え、このゲート装置本体の左右両側には取付枠７０の枠片７２に設けた器具取付孔７３に係止する係止爪１０ａが各２対ずつ形成されている。そして、このゲート装置本体１０は、取付枠７０の取付窓７１から前面を露出させた状態で取付枠７０に取り付けてある。
【００４２】
またゲート装置１では、ゲート装置本体１０の背面に設けた速結端子構造の端子部２１ａ，２１ｂに電力線Ｌ１を接続するとともに、端子部３１ａ，３１ｂに情報線Ｌ２を接続するようになっており、端子部２１ｂ，３１ｂにそれぞれ接続される電力線Ｌ１、情報線Ｌ２は他のスイッチボックス９０への送り配線となる（図２及び図９参照）。
【００４３】
一方、ゲート装置本体１０の前面には、端子部２１ａ，２１ｂに接続された電力線Ｌ１と電気的に接続されている導電部を備えた電力路接続口２２と、端子部３１ａ，３１ｂに接続された情報線Ｌ２と電気的に接続されている導電部を備えた情報路接続口３２とが設けられている。
【００４４】
ここに、ゲート装置１の電力路接続口２２および情報路接続口３２は、それぞれ、導電部の配列や開口部の形状をシステムとして定形化（規格化）してある。後述する基本機能モジュール４の背面側には、電力路接続口２２および情報路接続口３２にそれぞれ対応した形態に規格化されたコネクタ４２ａ，４２ｂが形成されており、コネクタ４２ａ，４２ｂをそれぞれ接続口２２，３２に着脱自在に結合できるようになっている。尚、電力路接続口２２と情報路接続口３２とは、導電部の配列や開口部の形状を互いに異ならせているので、誤接続を防止することができる。
【００４５】
次に、ゲート装置１に接続される基本機能モジュール４について説明する。基本機能モジュール４は扁平な直方体状のモジュール本体４０を備えており、モジュール本体４０の背面に設けたコネクタ４２ａ，４２ｂを、ゲート装置１の各接続口２２，３２に接続することによって、ゲート装置本体１０の前面側にモジュール本体４０が重ねた状態で取着される。このように本配線システムではゲート装置本体１０を３個モジュール寸法に形成するとともに、モジュール本体４０の大きさを３個モジュール寸法に対応する寸法に形成しているので、埋込型配線器具用の取付枠７０を用いて埋込配設されたゲート装置１に対して、ゲート装置本体１０の前面を覆うようにして機能モジュール４を取り付けることにより、後付け感を与えることなく、機能モジュール４をゲート装置１に容易に接続することができ、またゲート装置１に接続する機能モジュール４を変更することで、機能モジュール４の変更にも容易に対応できる。
【００４６】
以下に基本機能モジュール４の回路構成について図９に基づいて説明する。この基本機能モジュール４は、後述する拡張機能モジュール５を連接して使用するために以下の構成を備えている。すなわち基本機能モジュール４は、コネクタ４２ａを介して接続される商用電源ＡＣを所定電圧に降圧するとともに、周波数を高周波に変換し、この高周波に変換した定圧交流電源をコア４４ａに巻装したコイル４４ｂに印加するＡＣ／ＡＣコンバータ４３ａと、低圧交流電源を整流平滑後、安定した直流電圧からなる内部回路の動作電源（＋Ｖ）を得る直流電源部４３ｂと、コネクタ４２ｂを介して接続される情報線Ｌ２を通じて情報信号の送受信を行う送受信部４５と、情報線Ｌ２を介して受信される情報信号をＥ／Ｏ変換し、発光素子ＬＥＤを通じて光信号で送出するＥ／Ｏ変換部４６ａと、後述する拡張機能モジュール５から送られてくる光信号からなる情報信号を受光素子ＰＤで受光し、Ｏ／Ｅ変換して送受信部４５に出力するＯ／Ｅ変換部４６ｂと、機能モジュールの種類（例えばスイッチ）に対応した機能部４９と、機能部４９から送られてくるスイッチの操作データをＩ／Ｏインターフェース４８を通じて取り込み、送信先へ情報信号として送信させる処理を行う機能や、送受信部４５で受信した負荷の動作情報などを取り込み、機能部４９が備える動作表示ランプＬＤの点灯／消灯信号を生成し、Ｉ／Ｏインターフェース４８を通じて機能部４９へ送信する機能を備えた演算処理部４７とで構成されている。
【００４７】
ここで、上述したコイル４４ｂとコア４４ａとは、基本機能モジュール４から拡張機能モジュール５に電力を非接触で供給するためのトランスの一次側となる電磁結合部を構成するもので、拡張機能モジュール５側に同様に設けた電磁結合部のコアにコア４４ａが磁気結合し、トランス作用によって拡張機能モジュール５に設けた電磁結合部のコイルに定圧交流電源を誘起させて電源供給を行うようになっている。ＡＣ／ＡＣコンバータ４３ａでは、電力線Ｌ１を通じて供給される商用電源を、商用電源周波数に比べて高周波の交流電源に変換することで、電磁結合部によるトランス構成の小型化を図っている。なお図９ではコア４４ａとコイル４４ｂとからなる電磁結合部が１組しか示されていないが、拡張機能モジュール５は基本機能モジュール４の左右何れかの側、或いは、基本機能モジュール４の左右両側に並べて配置されるので、実際には電気的に並列な２組の電磁結合部が設けられ、モジュール本体４０の左右両側において側壁に近接する内部位置に電磁結合部が１組ずつ配置してある。ここに、各電磁結合部のコア４４ａの先端が近接配置されるモジュール本体４０の側面位置が、拡張機能モジュール５に対する磁気結合部Ｘとなっている。
【００４８】
一方、Ｅ／Ｏ変換部４６ａの発光素子ＬＥＤは、拡張機能モジュール５に対して情報信号を光信号により非接触で伝送するためのもので、連接する拡張機能モジュール５側のＯ／Ｅ変換部（図示せず）に設けた受光素子に対置される。また、Ｏ／Ｅ変換部４６ｂの受光素子ＰＤは連設する拡張機能モジュール５から光信号により伝達されてくる情報信号を受光するためのもので、連接する拡張機能モジュール５側のＥ／Ｏ変換部（図示せず）に設けた発光素子に対置される。なお、Ｅ／Ｏ変換部４６ａの発光素子ＬＥＤ、および、Ｏ／Ｅ変換部４６ｂの受光素子ＰＤも図９では１個ずつしか示されていないが、各変換部４６ａ，４６ｂには発光素子ＬＥＤおよび受光素子ＰＤを２組ずつ接続してあり、モジュール本体４０の左右両側において側壁に近接する内部位置に発光素子ＬＥＤおよび受光素子ＰＤの組を１組ずつ配置している。ここで、発光素子ＬＥＤの発光部及び受光素子ＰＤの受光部が対向するモジュール本体４０の側壁部位は光信号が透過可能なように透明部Ｙとしてある。また、モジュール本体４０の両側では、受光素子ＰＤと発光素子ＬＥＤの位置が上、下で逆になるように配置され、例えば右側では受光素子ＰＤを上、発光素子ＬＥＤを下とし、左側では受光素子ＰＤを下、発光素子ＬＥＤを上としてある。そして、電磁結合部のコア４４ａの先端部の配置位置と、受光素子ＰＤ及び発光素子ＬＥＤの配置位置の上下間隔は定形としている。
【００４９】
なお本配線システムでは、基本機能モジュール４が機能部４９としてスイッチ機能を備える場合について説明を行ったが、機能部４９をスイッチ機能に限定する趣旨のものではなく、センサ機能やスピーカ機能などの機能を備えているものでも良い。ここにおいて、ゲート装置１には複数種の情報信号を伝送する情報線Ｌ２を接続してあるので、ゲート装置１の情報路接続口３２と基本機能モジュール４のコネクタ４２ｂとの間で複数種の情報信号を授受することができ、基本機能モジュール４として様々な種類の機能モジュール４を接続して使用できるから、所望の機能を有する機能モジュール４への交換にも容易に対応できる。例えば図１４および図１５に示すように、天井１００に設けたゲート装置１に接続する機能モジュール４としては、照明器具の引掛プラグに対応した引掛栓刃接続部９１を持つ引掛シーリングローゼット型の機能モジュール４ａや、人感センサ等を備えたセンサ型機能モジュール（図示せず）、更に監視カメラを備えたカメラ型機能モジュール（図示せず）、更にＢＧＭ等のスピーカＳＰを持つ機能モジュール４ｂ等がある。また壁１０１に設けたゲート装置１に接続する機能モジュール４としては、照明器具などをオン／オフ操作するスイッチＳＷを備えた機能モジュール４ｃや、空調機器のコントローラ等の操作器型機能モジュール（図示せず）、モニタ装置Ｍを備えた機能モジュール４ｄがある。さらに床１０２に設けたゲート装置１に接続する機能モジュール４としては、電源プラグ用のコンセント部９２を備えた機能モジュール４ｅや、スピーカＳＰを備えた機能モジュール４ｂ等がある。また更に基本機能モジュール４が機能部４９を備えておらず、連接された拡張機能モジュール５に対して電力および情報信号を伝達する機能のみを備えているものでも良い。
【００５０】
而して、スイッチボックス９０に取付枠７０を用いて埋込配設されたゲート装置１の各接続口２２，３２に、適応する基本機能モジュール４のコネクタ４２ａ，４２ｂを結合して、基本機能モジュール４をスイッチボックス９０に取り付けることで、基本機能モジュール４の電力確保と情報路の確保が同時に行え且つ配設が行える。なおゲート装置１の各接続口２２，３２とコネクタ４２ａ，４２ｂの形態を定形化（規格化）しているので、基本機能モジュール４を何れのゲート装置１にも接続することができるから、レイアウトフリーに施工でき、さらに基本機能モジュール４の機能によって多様な配線システムを展開することができる。従って、ユーザは、好みの利用形態に応じて基本機能モジュール４を自由に施工することができ、将来的に建物内部のレイアウトを変更したり、新しい基本機能モジュール４を追加したい場合にも、基本機能モジュール４の着脱のみで容易に対応できるから、基本機能モジュール４の取替性が向上する。
【００５１】
次に、基本機能モジュール４に連接され、基本機能モジュール４を介して電力供給と情報信号の伝達とを行う拡張機能モジュール５について説明する。拡張機能モジュール５としては、様々な機能を有するものが用意されているが、基本的には図１、図７及び図８に示すように、モジュール本体５０，５０’の高さ寸法を埋込型配線器具の３個モジュール寸法に規格化するとともに、横幅寸法を１個モジュール寸法の整数倍に規格化し、またモジュール本体５０，５０’の両側面の形状は基本機能モジュール４の側面と同一形状とし、さらに背面を図２及び図７に示すように平坦な面に形成し、造営面（例えば壁面）に沿って配設できるようにしてある。モジュール本体５０，５０’の上下位置には、後述するプレート枠８０の上下の枠部材８０ａ，８０ｂの前面側に重ねて取り付けられる取付片５１，５１’を一体に形成してあり、各取付片５１，５１’には後述するプレート枠８０にねじ固定するための固定ねじ８５を挿通するねじ挿通孔５２が貫設されている。
【００５２】
モジュール本体５０，５０’の内部には、図１０に示すようにコア４４ａおよびコイル４４ｂからなる電磁結合部を２組備えて、モジュール本体５０，５０’の左右両側部において側壁に近接する内部位置に配置するとともに、夫々のコイル４４ｂを電気的に接続し、片側の電磁結合部が隣接する基本機能モジュール４又は拡張機能モジュール５の電磁結合部と電磁結合して電力を受け取る側（二次側）となると、他方の電磁結合部が電力供給側（一次側）となるようになっている。これらの電磁結合部を構成するコア４４ａの先端が近接配置されるモジュール本体５０，５０’の側面位置が磁気結合部Ｘとなる。また両電磁結合部のコイル４４ｂ，４４ｂ間を接続する線路には直流電源部４３を接続し、内部回路の動作電源＋Ｖを得るようになっている。
【００５３】
更に情報信号を授受するために、モジュール本体５０，５０’内には連接する基本機能モジュール４又は拡張機能モジュール５から送られてくる光信号からなる情報信号を受光素子ＰＤにて受光し電気的な信号に変換するＯ／Ｅ変換部４６ｂと、電気信号からなる情報信号を隣接する基本機能モジュール４又は拡張機能モジュール５へ光信号からなる情報信号として発光素子ＬＥＤにより送り出すためのＥ／Ｏ変換部４６ａと、Ｏ／Ｅ変換部４６ｂからの電気信号からなる情報信号を受け取るとともに、電気信号からなる情報信号をＥ／Ｏ変換部４６ａへ送り出す情報信号送受信部４６とからなる情報信号送受信手段を二組設け、一方の発光素子ＬＥＤと受光素子ＰＤをモジュール本体５０，５０’の左側側壁近傍の内部に、また他方の発光素子ＬＥＤと受光素子ＰＤをモジュール本体５０，５０’の右側側壁近傍の内部に配置してある。ここで、左側に配置される発光素子ＬＥＤの位置は受光素子ＰＤの下側に、また右側に配置される発光素子ＬＥＤの位置は受光素子ＰＤの上側に夫々を配置してある。而して、左側に連接される基本機能モジュール４又は拡張機能モジュール５の右側側壁に近接配置された発光素子ＬＥＤ、受光素子ＰＤに、当該モジュールの左側に配置した受光素子ＰＤ、発光素子ＬＥＤが夫々対向し、また右側に連接される基本機能モジュール４又は拡張機能モジュール５の左側側壁に近接配置された発光素子ＬＥＤ、受光素子ＰＤに、当該モジュールの右側に配置した受光素子ＰＤ、発光素子ＬＥＤが夫々対向するようになっている。そして発光素子ＬＥＤ、受光素子ＰＤが対向しているモジュール本体５０，５０’の側壁は光信号が透過できるように基本機能モジュール４と同様に透明部Ｙとなっている。
【００５４】
そして両側の情報信号送受信部４６，４６間をモジュール本体５０，５０’内において、双方向の信号ライン５７で接続して、両側に隣接する基本機能モジュール４又は拡張機能モジュール５に対して情報信号を中継できるようになっている。ここで、拡張機能モジュール５のモジュール本体５０，５０’の側面に磁気結合部Ｘ及び透明部Ｙが形成される位置は、図５及び図６で示す基本機能モジュール４の側面の磁気結合部Ｘ及び透明部Ｙの位置と合うように規格化され、拡張機能モジュール５同士を並置したとき、或いは、基本機能モジュール４と拡張機能モジュール５とを並置したときに面接する側面側の磁気結合部Ｘ、Ｘ同士、及び、透明部Ｙ，Ｙ同士が夫々対向するようになっている。つまり、夫々の給電手段の接続口同士、情報信号の伝達手段の接続口同士が接続された状態となる。
【００５５】
またモジュール本体５０，５０’内には、信号ライン５７上の情報信号を受信するとともに、信号ライン５７上に情報信号を送出する送受信部４５と、この送受信部４５で受信される情報信号からデータを取り込んで処理を行うとともに、当該拡張機能モジュール５から他の拡張機能モジュール５宛にデータを送る場合のデータ生成処理を行う演算処理部４７と、Ｉ／Ｏインターフェース４８を介して演算処理部４７との間でデータの授受を行って動作する機能部４９とを設けてあり、この機能部４９の構成が拡張機能モジュール５の種類によって異なるのである。
【００５６】
ここで、拡張機能モジュール５の種類別の構成について説明する。拡張機能モジュールとしては、例えば図１に示すように、照明器具や床暖房装置などの操作スイッチを構成する拡張機能モジュール５ａ，５ｂや、モニタ装置を構成する拡張機能モジュール５ｃなどがある。照明器具の操作スイッチを構成する拡張機能モジュール５ａは、図１１に示すように押釦スイッチからなる操作スイッチＳＷａ，ＳＷｂと、これら操作スイッチＳＷａ，ＳＷｂの操作データを生成して演算処理部４７にＩ／Ｏインターフェース４８を介して送るデータ生成機能を有するＣＰＵ部４９ａとで機能部４９が構成され、モジュール本体５０の前面部には図１および図７に示すように各操作スイッチＳＷａ、ＳＷｂの操作釦Ｂ１，Ｂ２を配置している。また拡張機能モジュール５ｂは、床暖房装置の操作スイッチを構成する機能モジュールであり、スイッチの数が１個となる点以外は拡張機能モジュール５ａと同様の構成を有しているので、その説明は省略する。
【００５７】
一方、モニタ装置を構成する拡張機能モジュール５ｃの機能部４９は、表示の切り替えなどの操作を行う操作スイッチＳＷｃと、Ｉ／Ｏインターフェース４８を介して送られてくる画像データを伸長復号して液晶表示部ＬＣＤに表示させるとともに、操作スイッチＳＷｃの操作に応じて画面の切替などの処理を行うＣＰＵ部４９ｂとで機能部４９を構成してあり、モジュール本体５０’の前面部には液晶表示部ＬＣＤの表示面と操作スイッチＳＷｃの操作釦Ｂ２とを配置している。なお、拡張機能モジュール５の機能部４９を上記の機能を有するものに限定する趣旨のものではなく、電源コンセントや情報コンセントなどの機能を有するものや、インターホン通話の機能を有するものでも良い。
【００５８】
次に拡張機能モジュール５ａ…が取着されるプレート枠８０について説明する。プレート枠８０は、図１及び図２に示すように横長の矩形枠状に形成され、枠内に複数の機能モジュール４，５が横方向に並べて取り付けられるようになっている。ここで、図１及び図２に示すプレート枠８０では、図１中の左端の位置に上述の基本機能モジュール４がプレート枠８０の裏面側から取り付けられ、基本機能モジュール４の右側に１連の大きさの拡張機能モジュール５が横方向に並べてプレート枠８０の表側から取り付けられるようになっている。プレート枠８０の上下の枠部材８０ａ，８０ｂの前面は、基本機能モジュール４を保持した取付枠７０の枠片７４の前面側に位置する部位に比べて、拡張機能モジュール５の取付片５１，５１’が載置する部位が背面側に後退しており、取付枠７０の枠片７４に設けたねじ孔７７に対応する部位には固定ねじ８６を挿通するためのねじ挿通孔（図示せず）が形成され、拡張機能モジュール５の取付片５１，５１’に設けたねじ挿通孔５２に対応する部位には固定ねじ８５が締結されるねじ孔８４を形成している。またプレート枠８０の左右の枠片には、後述する化粧プレート８２の背面に設けた係止爪（図示せず）と係止する係止孔８７が形成されている。
【００５９】
而して、上述のプレート枠８０を用いて拡張機能モジュール５ａ…を施工するに当たっては、予め建物の適所（天井１００、壁１０１又は床１０２）に埋設してあるスイッチボックス９０から先行配線された電力線Ｌ１、情報線Ｌ２を引き出して、取付枠７０に保持させたゲート装置１に電力線Ｌ１と情報線Ｌ２とを接続した後、このゲート装置１を取付枠７０を介してスイッチボックス９０に取り付ける。次に、ゲート装置１の前面部にそれぞれ設けられた電力路接続口２２及び情報路接続口３２に対して、基本機能モジュール４の対応するコネクタ４２ａ，４２ｂを接続することにより、ゲート装置１の前面部を覆うようにして基本機能モジュール４を取り付ける。また、基本機能モジュール４が枠内の左端に位置するようにプレート枠８０を取付枠７０の前面側に重ねて配置した後、プレート枠８０のねじ挿通孔に挿通した固定ねじ８６を取付枠７０のねじ孔７７に締結することで、取付枠７０に対してプレート枠８０を固定する。その後、プレート枠８０の前面側に拡張機能モジュール５ａ〜５ｃを重ねて配置し、各拡張機能モジュール５ａ〜５ｃの取付片５１，５１’に設けたねじ挿通孔５２に固定ねじ８５を挿通し、固定ねじ８５をプレート枠８０のねじ孔８４に締結することで、各拡張機能モジュール５ａ〜５ｃがプレート枠８０に固定される。そして、プレート枠８０の前面側に化粧プレート８２を取着して、化粧プレート８２の窓孔８３から各機能モジュール４，５の前面部の機能面を露出させるのである。ここで、各機能モジュール４，５ａ…は、プレート枠８０への取付状態において、化粧プレート８２の前面部と略同じ高さとなっている。
【００６０】
以上のようにして配設施工が終了し、配線システムの施工が完了した後は、ゲート装置１を介して各機能モジュール４，５に電力路および情報路を接続することができ、対応する機能モジュール４，５間で情報信号の授受が行われ、照明器具や床暖房装置などの操作や、カメラで撮影した画像のモニタが行えるのである。ここで、ゲート装置１に接続される情報線Ｌ２は複数種の機能モジュール４，５に用いられる情報信号の信号伝送を行うものであり、例えば電話、ＬＡＮなどのネットワーク機器、ＴＶ、インターホン、各種センサなどに用いられる情報信号や、照明器具などの機器を制御するための制御信号の信号伝送に用いられる。したがって、ゲート装置１を介して機能モジュール４，５に複数種類の情報信号を伝達することができるから、機能モジュール４，５に多種多様な機能を持つ機能モジュールを使用でき、多種多様な機能をもつシステムを実現することができる。
【００６１】
上述のように本配線システムでは拡張機能モジュール５ａ…が、取付枠７０にねじ固定された固定手段たるプレート枠８０に対してねじ固定されているので、拡張機能モジュール５ａ…の固定状態が安定し、複数の拡張機能モジュール５ａ…を連設した場合でも、拡張機能モジュール５ａ…の固定状態が不安定になることはない。尚、本配線システムではプレート枠８０を取付枠７０に対してねじ固定しているが、基本機能モジュール４が埋込配設されるスイッチボックスに対してプレート枠８０を固定するようにしても良く、上述と同様に拡張機能モジュール５ａ…を安定に固定することができる。また図１〜図３に示す設置例では基本機能モジュール４の片側のみに拡張機能モジュール５を連設しているが、基本機能モジュール４の両側に拡張機能モジュール５を連設しても良い。但し、基本機能モジュール４に連設できる拡張機能モジュール５の数はＡＣ／ＡＣコンバータ４３ａの電力供給能力などによって制限される。
【００６２】
また、連設する拡張機能モジュール５の数が増えると、拡張機能モジュール５の重さでプレート枠８０が変形し、プレート枠８０の端部（例えば取付枠７０に固定される側と反対側の端部、図示例では右端部）が浮き上がる可能性があるため、プレート枠８０の右端部に挿通孔８８，８８を設け、各挿通孔８８に通したタッピングねじ（図示せず）を造営面に締結することにより、プレート枠８０の端部を造営面に固定しても良く、プレート枠８０の端部が造営面から浮き上がるのを防止することができる。なお、プレート枠８０の端部を造営面に固定するプレート固定手段は、タッピングねじなどのねじ部材に限定されるものではなく、挿通孔８８に通した固定ピン（図示せず）でプレート枠８０を造営面にピン止めしたり、プレート枠８０の端部の背面と造営面とにそれぞれ面ファスナーを取り付け、プレート枠８０を造営面に対して面ファスナーで固定するようにしても良い。
【００６３】
なお、上述の配線システムではゲート装置１と基本機能モジュール４との間において電力路、情報路の接続はコネクタ４２ａ，４２ｂ側の接触ピンが各接続口２２，３２の接触部に接触することで行われるようになっているが、非接触構成としても良い。
【００６４】
つまり上述した基本機能モジュール４が拡張機能モジュール５に非接触で電力を供給するために用いたＡＣ／ＡＣコンバータ４３ａと、コア４４ａ及びコイル４４ｂからなる電磁結合部と、情報信号の授受を非接触で行うためのＥ／Ｏ変換部４６ａおよびＯ／Ｅ変換部４６ｂとをゲート装置１に内蔵し、基本機能モジュール４側にこれに対応して磁気結合部、Ｏ／Ｅ変換部およびＥ／Ｏ変換部を設け、電力路接続口２２を上述の磁気結合部Ｘにより構成し、情報路接続口３２を上述の透明部Ｙにより構成する。また基本機能モジュール４側にも、ゲート装置１の磁気結合部Ｘおよび透明部Ｙにそれぞれ対応して、磁気結合部Ｘと透明部Ｙとを設ける。そしてゲート装置１では、両接続口２２，３２を構成する磁気結合部Ｘ、透明部Ｙの形状と両者の間隔を定形化（規格化）して接続口２２，３２のモジュール化を図り、他方基本機能モジュール４の磁気結合部Ｘ、透明部Ｙの形状と両者の間隔を接続口２２，３２のそれと合わせて定形化を図れば良い。
【００６５】
また上述の形態では情報路と、電力路を別にしているためゲート装置１には電力線Ｌ１と情報線Ｌ２とを夫々接続しているが、電力線搬送によって情報信号の伝送を行えば、電力路を情報路として用いることもできるため、配線を電力線Ｌ１のみとすることができ、配線施工を簡略化できる。つまり各スイッチボックス９０での先行配線は電力線Ｌ１のみとし、これに対応してゲート装置１の端子部３１ａ，３１ｂおよび情報路接続口３２を無くし、端子部２１ａ，２１ｂおよび電力路接続口２２のみとする。そして、基本機能モジュール４において、図１３に示すようにコネクタ４２ａおよびゲート装置１を介して電力線Ｌ１に接続され、電力線搬送通信により情報信号を授受するＰＬＣモデム部４５ａを設けており、送受信部４５では、ＰＬＣモデム部４５ａを介して受信された情報信号をＥ／Ｏ変換部４６ａにより光信号で送信させるとともに、Ｏ／Ｅ変換部４６ｂが受光した光信号よりなる情報信号を、ＰＬＣモデム部４５ａから電力線搬送によって送信させている。また送受信部４５は、ＰＬＣモデム部４５ａを介して受信された情報信号を演算処理部４７に出力して、演算処理部４７によりデータ処理を行わせるとともに、演算処理部４７から入力された情報信号をＰＬＣモデム部４５ａからゲート装置１を介して電力線Ｌ１へ電力線搬送によって送信させている。
【００６６】
尚、ＰＬＣモデム部４５ａで採用する電力線搬送の変調方式としては広帯域スペクトラム拡散方式、マルチキャリア方式、ＯＦＤＭ方式等各種方式の何れでも良いので、ここでは特に説明はしない。また図７に示す例では、基本機能モジュール４のＰＬＣモデム部４５ａにより電力線搬送通信で伝送された情報信号を分離し、各機能モジュール４，５間ではＥ／Ｏ変換部４６ａおよびＯ／Ｅ変換部４６ｂを用いて情報信号の授受を行っているが、各々の機能モジュール５にＰＬＣモデム部を設けて、各機能モジュール５において電力線搬送通信により情報信号の授受を行うようにしても良い。
【００６７】
また、この配線システムでは拡張機能モジュール５が、基本機能モジュール４を介して電力の供給を受けると共に情報信号の授受を行っており、拡張機能モジュール５において電力路および情報路を共に確保しているが、拡張機能モジュール５の機能によっては、電力の供給と情報信号の授受の内何れか一方だけを行って、電力路又は情報路の何れかを確保するようにしても良く、様々な機能モジュール５を連設して使用することにより、機能の拡張にも容易に対応することができる。
【００６８】
また、情報信号を伝送する方式としては、ベースバンド伝送又はブロードバンド伝送の何れを採用しても良く、またプロトコルも何れでも良いが、音声、映像などを用いるインターホンの親機、子機との間にはＪＴ−Ｈ２３２パケットに基づいて音声・映像を相互に伝送することとし、また制御系にあっては操作側からの操作データにより１乃至複数の負荷を操作できるような１対１又は１対Ｎの対応が可能なユニキャスト或いはブロードキャストに対応する経路制御プロトコルを採用すれば良く、特に限定されるものではないので、説明は省略する。また、ゲート装置１間の使用プロトコルと、ゲート装置１に連なる機能モジュール４，５での使用プロトコルを異ならせ、例えばゲート装置１においてプロトコル変換を行うようにしても良い。
【００６９】
（実施形態１）
本発明の実施形態１について図１６〜図１９に基づいて説明する。上述した基本構成の配線システムでは、基本機能モジュール４と拡張機能モジュール５とが対接する側部、および、拡張機能モジュール５，５同士が対接する側部に電力を供給するための給電手段と、情報信号を光信号で送受信するための情報信号接続手段とを設けているのに対して、本実施形態では、拡張機能モジュール５を固定するプレート枠８０に、電力供給を行うための電源ラインと情報信号の伝達を行うための情報ラインとを設け、電源ラインおよび情報ラインと各機能モジュール４，５の間を電気的に接続することによって、基本機能モジュール４を介して拡張機能モジュール５に電力の供給と情報信号の伝達とを行っている。尚、電力路および情報路を伝達する構成以外は基本構成で説明した配線システムと同様であるので、共通する構成要素には同一の符号を付して、その説明は省略する。
【００７０】
図１６は本実施形態に用いるプレート枠８０の正面図であり、上下の枠部材８０ａ，８０ｂの左端部からは、基本機能モジュール４が配置される部位に、モジュール本体４０の背面に対向配置される支持リブ８０ｃ，８０ｄを一体に突設している。また、上側の枠部材８０ａには、剛性を有する帯板状の板金から形成された一対の導電板２３，２４が、下側の枠部材８０ｂには剛性を有する帯板状の板金から形成された一対の導電板２５，２６がそれぞれインサート成形により一体に設けてある。
【００７１】
電源ラインを構成する導電板２３，２４は、それぞれ、上側の枠部材８０ａの内部に埋設される中央片２３ａ，２４ａと、中央片２３ａ，２４ａの左端部から下側に向かって突出し、先端が支持リブ８０ｃの前面側に配置される突出片２３ｂ，２４ｂとを一体に形成してあり、突出片２３ｂ，２４ｂの先端（支持リブ８０ｃの前面側に露出する部位）が接続端子２３ｃ，２４ｃとなっている。また、各導電板２３，２４の中央片２３ａ，２４ａには、一連の大きさの拡張機能モジュール５が並設される位置に、枠部材８０ａの前面に露設されて、各拡張機能モジュールの端子２７ａ，２７ｂに給電するための端子２３ｄ，２４ｄを１乃至複数（本実施形態では４個）設けてある。
【００７２】
情報ラインを構成する導電板２５，２６は、それぞれ、下側の枠部材８０ｂの内部に埋設される中央片２５ａ，２６ａと、中央片２５ａ，２６ａの左端部から上側に向かって突出し、先端が支持リブ８０ｄの前面側に配置される突出片２５ｂ，２６ｂとを一体に形成してあり、突出片２５ｂ，２６ｂの先端（支持リブ８０ｄの前面側に露出する部位）が接続端子２５ｃ，２６ｃとなっている。また、各導電板２３，２４の中央片２５ａ，２６ａには、一連の大きさの拡張機能モジュール５が並設される位置に、枠部材８０ｂの前面に露設されて、各拡張機能モジュールの端子２７ｃ，２７ｄに電気的に接続するための端子２５ｄ，２６ｄを１乃至複数（本実施形態では４個）設けてある。
【００７３】
一方、基本機能モジュール４では、図１７（ａ）に示すようにＡＣ／ＡＣ変換部４３ａと、コア４４ａおよびコイル４４ｂからなる磁気結合部Ｘと、情報信号を非接触で授受するためのＥ／Ｏ変換部４６ａ、Ｏ／Ｅ変換部４６ｂ、発光素子ＬＥＤおよび受光素子ＰＤを無くしてある。そして、図１８に示すようにモジュール本体４０の上部背面には、プレート枠８０の上側の枠部材８０ａに設けた接続端子２３ｃ，２４ｃに対応する部位に、コネクタ４２ａの導体部にそれぞれ電気的に接続された端子３３ａ，３３ｂを設けてある。また、モジュール本体４０の下部背面には、プレート枠８０の下側の枠部材８０ｂに設けた接続端子２５ｃ，２６ｃに対応する部位に、コネクタ４２ｂの導体部にそれぞれ電気的に接続された端子３４ａ，３４ｂを設けてある。なお直流電源部４３ｂでは、ゲート装置１を介して供給される交流電源を整流、平滑して、安定した直流電圧からなる内部回路の動作電源（＋Ｖ）を生成している。
【００７４】
また、拡張機能モジュール５側では、図１７（ｂ）に示すようにコア４４ａおよびコイル４４ｂからなる磁気結合部Ｘと、情報信号を非接触で授受するためのＥ／Ｏ変換部４６ａ、Ｏ／Ｅ変換部４６ｂ、発光素子ＬＥＤおよび受光素子ＰＤを無くしてある。そして、図１９（ａ）（ｂ）に示すようにモジュール本体５０，５０’の上部に設けた取付片５１，５１’の背面には、それぞれ、プレート枠８０の上側の枠部材８０ａに設けた端子２３ｄ，２４ｄに対応する部位に端子２７ａ，２７ｂを設けてあり、端子２７ａ，２７ｂを介して直流電源部４３に交流電源を供給している。またモジュール本体５０，５０’の下部に設けた取付片５１，５１’の背面には、それぞれ、プレート枠８０の下側の枠部材８０ｂに設けた端子２５ｄ，２６ｄに対応する部位に端子２７ｃ，２７ｄを設けてあり、端子２７ｃ，２７ｄを介して送受信部４５を情報路に接続してある。
【００７５】
而して、本実施形態において各機能モジュール４，５を固定するに当たっては、予め建物の適所（天井１００、壁１０１又は床１０２）に埋設してあるスイッチボックス９０から先行配線された電力線Ｌ１、情報線Ｌ２を引き出してゲート装置１に接続した後、このゲート装置１を取付枠７０を介してスイッチボックス９０に取り付ける。そして、プレート枠８０のねじ挿通孔８４ａに挿通した固定ねじ８６を取付枠７０のねじ孔７７に締結することで、取付枠７０に対してプレート枠８０を固定する。
【００７６】
その後、ゲート装置１前面の各接続口２２，３２に対して、基本機能モジュール４の対応するコネクタ４２ａ，４２ｂを接続することにより、ゲート装置１の前面部を覆うようにして基本機能モジュール４を取り付ける。この時、基本機能モジュール４の背面に設けた端子３３ａ，３３ｂがプレート枠８０の接続端子２３ｃ，２４ｃと接触して、電源ラインの導電板２３，２４が基本機能モジュール４およびゲート装置１を介して電力線Ｌ１に電気的に接続される。また同時に、基本機能モジュール４の背面に設けた端子３４ａ，３４ｂがプレート枠８０の接続端子２５ｃ，２６ｃと接触して、情報ラインの導電板２５，２６が基本機能モジュール４およびゲート装置１を介して情報線Ｌ２に電気的に接続される。
【００７７】
次に、プレート枠８０の対応する取付位置に各拡張機能モジュール５ａ〜５ｃを配置して、取付片５１，５１’のねじ挿通孔５２に挿通した固定ねじ８５をプレート枠８０のねじ孔８４に締結することで、各拡張機能モジュール５ａ〜５ｃがプレート枠８０に固定される。この時、各拡張機能モジュール５ａ〜５ｃの上側の取付片５１，５１’に設けた端子２７ａ，２７ｂがプレート枠８０の上側の枠部材８０ａに設けた端子２３ｄ，２４ｄに接触し、各拡張機能モジュール５ａ〜５ｃに導電板２３，２４を介して電力が供給される。また各拡張機能モジュール５ａ〜５ｃの下側の取付片５１，５１’に設けた端子２７ｃ，２７ｄがプレート枠８０の下側の枠部材８０ｂに設けた端子２５ｄ，２６ｄに接触し、各拡張機能モジュール５ａ〜５ｃが導電板２５，２６を介して情報線Ｌ２に接続される。
【００７８】
このように本実施形態では、各拡張機能モジュール５ａ〜５ｃが取着されるプレート枠８０に、電力供給を行うための電源ライン（導電板２３，２４）と、情報信号の伝達を行うための情報ライン（導電板２５，２６）とを設け、取付枠７０にプレート枠８０を固定した後、取付枠７０に取着されたゲート装置１に基本機能モジュール４を取り付けるとともに、プレート枠８０に各拡張機能モジュール５ａ〜５ｃを取り付けると、各機能モジュール４，５ａ…がプレート枠８０の電源ラインと情報ラインとにそれぞれ接続されるので、プレート枠８０に対して拡張機能モジュール５ａ…を取り付けるだけで、各拡張機能モジュール５ａ…の固定と電気的接続とを行うことができる。
【００７９】
また、本実施形態では電源ラインを構成する導電板２３，２４と情報ラインを構成する導電板２５，２６とをプレート枠８０にインサート成形により埋設固定しているので、プレート枠８０の機械的強度が向上し、複数の拡張機能モジュール５ａ…を並設した場合でもプレート枠８０が変形しにくくなり、造営面からの浮き上がりを防止できる。なお本実施形態では電源ラインおよび情報ラインを構成する導電板２３〜２６を全てプレート枠８０にインサート成形により埋設固定しているが、導電板２３〜２６の一部のみをインサート成形により埋設固定し、他の導電板はプレート枠８０の表面（前面又は後面）に絶縁した状態で取り付けるようにしても良い。
【００８０】
（参考例１）
本発明の参考例１について図２０〜図２２に基づいて説明する。上述の基本構成又は実施形態１では造営面に埋設されるスイッチボックス又は取付枠７０に固定されたプレート枠８０に対して拡張機能モジュール５ａ…を固定しているのに対して、本参考例ではスイッチボックス又は取付枠７０にプレート部材８０’を介して固定される化粧プレート８２に拡張機能モジュール５ａ…を固定している。尚、拡張機能モジュール５ａ…を固定するための構成以外は上述した基本構成で説明した配線システムと同様であるので、共通する構成要素には同一の符号を付して、その説明は省略する。
【００８１】
プレート部材８０’は、図２０に示すように、基本構成で説明したプレート枠８０において基本機能モジュール４の上下両側部と左側部に接する部位のみを残して、平面視略Ｃ字型に形成されており、上下片の左右方向略中央には固定ねじ８６を挿通するためのねじ挿通孔（図示せず）が形成され、上下片の左右方向両端部には係止孔８７がそれぞれ形成されている。
【００８２】
一方、化粧プレート８２の背面には、図２１に示すようにプレート部材８０’に設けた係止孔８７に対応する部位に係止孔８７に係止離脱自在に係止する係止爪８２ａを突設するとともに、基本機能モジュール４に１連の大きさの拡張機能モジュール５を並列配置したときに各拡張機能モジュール５の取付片５１に設けたねじ挿通孔５２に対応する部位にねじ穴８９ａを有するボス部８９を立設してある。
【００８３】
而して、この配線システムにおいて各機能モジュール４，５を固定するに当たっては、予め建物の適所（天井１００、壁１０１又は床１０２）に埋設してあるスイッチボックス９０から先行配線された電力線Ｌ１、情報線Ｌ２を引き出してゲート装置１に接続した後、このゲート装置１を取付枠７０を介してスイッチボックス９０に取り付ける。そして、プレート部材８０’のねじ挿通孔（図示せず）に挿通した固定ねじ８６を取付枠７０のねじ孔７７に締結することで、取付枠７０に対してプレート枠８０を固定した後、ゲート装置１前面の各接続口２２，３２に対して、基本機能モジュール４の対応するコネクタ４２ａ，４２ｂを接続することにより、ゲート装置１の前面部を覆うようにして基本機能モジュール４を取り付ける（図２０参照）。次に、化粧プレート８２の背面側に各拡張機能モジュール５ａ〜５ｃを並列配置し、拡張機能モジュール５ａ〜５ｃの取付片５１，５１’に挿通した固定ねじ８５をボス部８９に設けたねじ穴８９ａに締結することで、各拡張機能モジュール５ａ〜５ｃを化粧プレート８２に取り付ける（図２２参照）。そして、プレート部材８０’の前面側から、拡張機能モジュール５ａ〜５ｃを保持した化粧プレート８２を被せて、化粧プレート８２の係止爪８２ａをプレート部材８０’に設けた係止孔８７に係止させることで、各機能モジュール４，５ａ…の取付を完了する。なお基本機能モジュール４を取着した取付枠７０に対して、拡張機能モジュール５ａ…を保持した化粧プレート８２を取り付けた状態では、各機能モジュール４，５ａ…の側部に設けた磁気結合部Ｘ、透明部Ｙがそれぞれ対向配置されるので、各拡張機能モジュール５ａ…が基本機能モジュール４を介して電力路および情報路にそれぞれ接続されている。
【００８４】
このように本配線システムでは、各拡張機能モジュール５ａ…が、取付枠７０にプレート部材８０’を介して固定された固定手段たる化粧プレート８２に対してねじ固定されているので、拡張機能モジュール５ａ…の固定状態が安定し、複数の拡張機能モジュール５ａ…を連設した場合でも、拡張機能モジュール５ａ…の固定状態が不安定になることはない。尚、本配線システムでは化粧プレート８２がプレート部材８０’を介して取付枠７０に固定されているが、プレート部材８０’を無くして、基本機能モジュール４が埋込配設されるスイッチボックスに化粧プレート８２を直接固定するようにしても良く、上述と同様に拡張機能モジュール５ａ…を安定に固定することができる。
【００８５】
また本配線システムでは図２２に示すように基本機能モジュール４の片側のみに拡張機能モジュール５を連設しているが、基本機能モジュール４の両側に拡張機能モジュール５を連設しても良い。但し、基本機能モジュール４に連設できる拡張機能モジュール５の数はＡＣ／ＡＣコンバータ４３ａの電力供給能力などによって制限される。また、連設する拡張機能モジュール５の数が増えると、拡張機能モジュール５の重さで化粧プレート８２が変形し、化粧プレート８２の端部（例えばプレート部材８０’に固定される側と反対側の端部、図示例では右端部）が浮き上がる可能性があるため、化粧プレート８２の右端部を図示しないねじやピンなどで造営面に固定しても良く、化粧プレート８２の端部が造営面から浮き上がるのを防止することができる。なお、化粧プレート８２の端部を造営面に固定するプレート固定手段は、ねじやピンに限定されるものではなく、化粧プレート８２の背面と造営面とにそれぞれ面ファスナーを取り付け、化粧プレート８２を造営面に対して面ファスナーで固定するようにしても良い。
【００８６】
また本配線システムにおいて、実施形態１で説明したプレート枠８０の場合と同様に、電源ラインおよび導電ラインを構成する導電板を化粧プレート８２に一体的に取り付けるとともに、各導電板に電気的に接続される端子を基本機能モジュール４および拡張機能モジュール５ａ…に設けても良く、拡張機能モジュール５ａ…を保持したプレート枠８０を、基本機能モジュール４を保持するゲート装置１が取着された取付枠７０に取り付けることで、化粧プレート８２に設けた電源ラインおよび情報ラインを介して各機能モジュール４，５の間が電気的に接続されるから、基本機能モジュール４とゲート装置１とを介して各拡張機能モジュール５ａ…が電力線Ｌ１および情報線Ｌ２に接続されることになる。すなわち、化粧プレート８２に拡張機能モジュール５ａ…を接続した後、この化粧プレート８２を取付枠７０に取り付けることで、各拡張機能モジュール５ａ…の固定と電気的接続とを行うことができる。
【００８７】
なお、電源ラインおよび情報ラインを構成する導電板の内の少なくとも一つを化粧プレート８２に対してインサート成形により埋設固定しても良く、剛性を有する帯板状の導電板を埋設固定することで、化粧プレート８２の機械的強度が向上し、複数の拡張機能モジュール５ａ…を並設した場合でもプレート枠８０が変形しにくくなるので、造営面からの浮き上がりを防止できる。
【００８８】
（実施形態２）
本発明の実施形態２を図２３に基づいて説明する。上述の基本構成ではプレート枠８０を枠状に形成された樹脂成型品で構成しているが、本実施形態では、プレート枠８０”の横方向（機能モジュール４，５ａ…の連設方向）に沿う横枠部材を、１乃至複数の枠片を連結して構成してある。なお、プレート枠８０”以外の構成は基本構成で説明した配線システムと同様であるので、共通する構成要素には同一の構成要素を付して、その説明は省略する。
【００８９】
図２３はプレート枠８０”の正面図であり、平面視の形状が略Ｃ状に形成された左枠部材９３と、平面視の形状が略コ字状に形成された右枠部材９４と、両枠部材９３，９４の間に連結されて横枠部材を構成する複数個の枠片９５とを連結してプレート枠８０”を構成している。
【００９０】
左枠部材９３は、中央片９３ａと、中央片９３ａの上下両端部からそれぞれ右方向に突出する側片９３ｂ，９３ｂとで構成され、両側片９３ｂの先端には嵌合凹部９３ｃが形成されている。両側片９３ｂの長さは機能モジュール４，５の単位寸法の約（４／３）倍の寸法に形成されており、取付枠７０のねじ孔７７に対応する部位にはねじ挿通孔９３ｄが形成されている。
【００９１】
また右枠部材９４は、中央片９４ａと、中央片９４ａの上下両端部からそれぞれ左方向に突出する側片９４ｂ，９４ｂとで構成され、両側片９４ｂの先端には嵌合凸部９４ｃが突設されている。両側片９４ｂの長さは機能モジュール４，５の単位寸法の約（２／３）倍の寸法に形成されており、拡張機能モジュール５の取付片５１に設けたねじ挿通孔５２に対応する部位にはねじ孔９４ｄを設けてある。また、各側片９４ｂと中央片９４ａとの連結部位付近には、右枠部材９４を造営面に固定するために用いる固定ピン（図示せず）を挿通させる挿通孔９４ｅを貫設してある。
【００９２】
一方、枠片９５は略短冊状であって、長さ寸法が機能モジュール４，５の単位寸法に形成されており、左側の端部には左枠部材９３に設けた嵌合凹部９３ｃと嵌合する嵌合凸部９５ａが形成され、右側の端部には右枠部材９４に設けた嵌合凸部９４ｃと嵌合する嵌合凹部９５ｂが形成されている。また枠片９５には、拡張機能モジュール５の取付片５１に設けたねじ挿通孔５２に対応する部位にはねじ孔９５ｃを設けてあり、さらに枠片９５を造営面に固定するために用いる固定ピン（図示せず）を挿通させる挿通孔９５ｄを貫設してある。
【００９３】
而してこのプレート枠８０”を組み立てるに当たっては、先ず建物の適所（天井１００、壁１０１又は床１０２）に埋設してあるスイッチボックス９０から先行配線された電力線Ｌ１、情報線Ｌ２を引き出してゲート装置１に接続した後、このゲート装置１を取付枠７０を介してスイッチボックス９０に取り付ける。次に左枠部材９３のねじ挿通孔９６ｄに挿通した固定ねじ８６を取付枠７０のねじ孔７７に締結することにより、取付枠７０に対して左枠部材９３を固定した後、両側片９３ｂ，９３ｂの嵌合凹部９３ｃに嵌合凸部９５ａを嵌合させることで、枠片９５，９５を連結する。さらに各枠片９５の嵌合凹部９５ｂに別の枠片９５の嵌合凸部９５ａを嵌合させることで、所望の数の枠片９５を連結した後、端末の枠片９５，９５の嵌合凹部９５ｂ，９５ｂに両側片９４ｂ，９４ｂの嵌合凸部９４ｃ，９４ｃを嵌合させて、右枠部材９４を連結する。そして、嵌合凹部９３ｃ，９５ｂと嵌合凸部９５ａ，９４ｃとの凹凸嵌合により枠片９５および右枠部材９４を仮固定した状態で、右枠部材９４および枠片９５の挿通孔９４ｅ，９５ｄに挿通した固定ピン（図示せず）を造営面に差し込むことで、右枠部材９４および枠片９５を造営面に固定する。このようにしてプレート枠８０”の組立が完了すると、基本構成で説明した配線システムと同様の手順で基本機能モジュール４をゲート装置１に取り付けるとともに、拡張機能モジュール５ａ〜５ｃをプレート枠８０”に固定することで、両機能モジュール４，５ａの取付が完了する。
【００９４】
このように本実施形態では、取付枠７０にねじ固定された左枠部材９３と、この左枠部材９３に連結される枠片９５および右枠部材９４とでプレート枠（固定手段）８０”を構成してあり、造営面に固定された枠片９５および右枠部材９４に拡張機能モジュール５ａ…をねじ固定しているので、拡張機能モジュール５ａ…の固定状態が安定し、複数の拡張機能モジュール５ａ…を連設した場合でも、拡張機能モジュール５ａ…の固定状態が不安定になることはない。また、連結する枠片９５の数を変更すると、プレート枠８０”の幅寸法が変更されるので、連接する拡張機能モジュール５ａ…の数に合わせて右枠部材９４を一端造営面から外して、枠片９５の個数を増加又は減少させた後、再度右枠部材９４を造営面に取り付けることで、大きさの異なるプレート枠８０”を容易する必要が無く、交換作業を簡単に行うことができる。
【００９５】
（実施形態３）
本発明の実施形態３を図２４〜図２６に基づいて説明する。上述の実施形態１では、造営面に埋設されるスイッチボックス又は取付枠７０に固定されたプレート枠８０に対して拡張機能モジュール５ａ…を固定しているのに対して、本実施形態では取付枠７０に固定されて各機能モジュール４，５ａ…の連設方向に沿って平行配置されるレール部材９７，９８に対して拡張機能モジュール５ａ…を固定している。尚、拡張機能モジュール５ａ…を固定するためのレール部材９７，９８以外の構成は実施形態１と同様であるので、共通する構成要素には同一の構成要素を付して、その説明は省略する。
【００９６】
レール部材９７，９８は、実施形態１で説明したプレート枠８０の上下の枠部材８０ａ，８０ｂと略同様の形状（横長の帯板状）に形成されており、図２４に示すように各レール部材９７，９８の左端には、背面側に配置される取付枠７０のねじ孔７７に対向する位置にねじ挿通孔８４ａが形成されるとともに、右端にはレール部材９７，９８を造営面に固定するためのピンやタッピングねじを挿通させる挿通孔９７ｂ，９８ｂが形成されている。また、各レール部材９７，９８には、それぞれ、後述する化粧板９９の背面に設けた係止爪片（図示せず）がそれぞれ係止する係止孔９７ｃ，９８ｃを左右両端部に設けてある。また、各レール部材９７，９８において、１連の大きさの拡張機能モジュール５ａ…が取着される部位には、拡張機能モジュール５ａ…の取付片５１に設けたねじ挿通孔５２に対応する部位にねじ孔８４を設けてある。
【００９７】
上側に配置されるレール部材９７の左端部には、機能モジュール４が配置される部位の下側縁から下向きに、モジュール本体４０の背面に対向配置される支持リブ９７ａを突設してあり、このレール部材９７には、剛性を有する帯板状の板金から形成された一対の導電板２３，２４がインサート成形により一体に設けてある。
【００９８】
一方、下側に配置されるレール部材９８の左端部には、機能モジュール４が配置される部位の上側縁から上向きに、モジュール本体４０の背面に対向配置される支持リブ９８ａを突設してあり、このレール部材９８には、剛性を有する帯板状の板金から形成された一対の導電板２５，２６がそれぞれインサート成形により一体に設けてある。
【００９９】
電源ラインを構成する導電板２３，２４は、それぞれ、上側のレール部材９７の内部に埋設される中央片２３ａ，２４ａと、中央片２３ａ，２４ａの左端部から下側に向かって突出し、先端が支持リブ９７ａの前面側に配置される突出片２３ｂ，２４ｂとを一体に形成してあり、突出片２３ｂ，２４ｂの先端（支持リブ９７ａの前面側に露出する部位）が接続端子２３ｃ，２４ｃとなっている。また、各導電板２３，２４の中央片２３ａ，２４ａには、一連の大きさの拡張機能モジュール５が並設される位置に、レール部材９７の前面に露設されて、各拡張機能モジュール５の端子２７ａ，２７ｂに給電するための端子２３ｄ，２４ｄを１乃至複数（本実施形態では４個）設けてある。
【０１００】
情報ラインを構成する導電板２５，２６は、それぞれ、下側のレール部材９８の内部に埋設される中央片２５ａ，２６ａと、中央片２５ａ，２６ａの左端部から上側に向かって突出し、先端が支持リブ９８ａの前面側に配置される突出片２５ｂ，２６ｂとを一体に形成してあり、突出片２５ｂ，２６ｂの先端（支持リブ９８ａの前面側に露出する部位）が接続端子２５ｃ，２６ｃとなっている。また、各導電板２３，２４の中央片２５ａ，２６ａには、一連の大きさの拡張機能モジュール５が並設される位置に、レール部材９８の前面に露設されて、各拡張機能モジュール５の端子２７ｃ，２７ｄに電気的に接続するための端子２５ｄ，２６ｄを１乃至複数（本実施形態では４個）設けてある。
【０１０１】
レール部材９７，９８は以上のような構成を有しており、これらのレール部材９７，９８を用いて各機能モジュール４，５を固定するに当たっては、予め建物の適所（天井１００、壁１０１又は床１０２）に埋設してあるスイッチボックス９０から先行配線された電力線Ｌ１、情報線Ｌ２を引き出してゲート装置１に接続した後、このゲート装置１を取付枠７０を介してスイッチボックス９０に取り付ける。そして、各レール部材９７，９８のねじ挿通孔８４ａに挿通した固定ねじ８６を取付枠７０のねじ孔７７に締結することで、取付枠７０に対してレール部材９７，９８を固定するとともに、各レール部材９７，９８の右端部に設けた挿通孔９７ｂ，９８ｂに固定ピン（図示せず）を挿通して造営面に差し込むことで、各レール部材９７，９８を平行配置した状態でその両端部を造営面に固定する（図２５参照）。尚、本実施形態ではレール部材９７，９８を取付枠７０に固定しているが、スイッチボックス９０に直接固定するようにしても良い。
【０１０２】
その後、ゲート装置１前面の各接続口２２，３２に対して、基本機能モジュール４の対応するコネクタ４２ａ，４２ｂを接続することにより、ゲート装置１の前面部を覆うようにして基本機能モジュール４を取り付ける。この時、基本機能モジュール４の背面に設けた端子３３ａ，３３ｂが、上側のレール部材９７の接続端子２３ｃ，２４ｃと接触して、電源ラインの導電板２３，２４が基本機能モジュール４およびゲート装置１を介して電力線Ｌ１に電気的に接続される。また同時に、基本機能モジュール４の背面に設けた端子３４ａ，３４ｂが、下側のレール部材９８の接続端子２５ｃ，２６ｃと接触して、情報ラインの導電板２５，２６が基本機能モジュール４およびゲート装置１を介して情報線Ｌ２に電気的に接続される。
【０１０３】
次に、各レール部材９７，９８の対応する取付位置に各拡張機能モジュール５ａ〜５ｃを配置して、取付片５１，５１’のねじ挿通孔５２に挿通した固定ねじ８５をレール部材９７，９８のねじ孔８４に締結すると、各拡張機能モジュール５ａ〜５ｃがレール部材９７，９８に固定される（図２５参照）。この時、各拡張機能モジュール５ａ〜５ｃの上側の取付片５１，５１’に設けた端子２７ａ，２７ｂがレール部材９７の端子２３ｄ，２４ｄに接触し、各拡張機能モジュール５ａ〜５ｃに導電板２３，２４を介して電力が供給される。また各拡張機能モジュール５ａ〜５ｃの下側の取付片５１，５１’に設けた端子２７ｃ，２７ｄがレール部材９８の端子２５ｄ，２６ｄに接触し、各拡張機能モジュール５ａ〜５ｃが導電板２５，２６を介して情報線Ｌ２に接続される。
【０１０４】
そして、各拡張機能モジュール５ａ…が取着されたレール部材９７，９８の前面側には、レール部材９７，９８と略同じ大きさに形成された横長の矩形板状の化粧板９９，９９が被着され、化粧板９９により固定ねじ８５，８６が隠されるようになっている（図２６参照）。尚、化粧板９９，９９の背面にはレール部材９７，９８の左右両端部の係止孔９７ｃ，９８ｃと係止する係止爪片（図示せず）が形成されており、また拡張機能モジュール５ａ…の取付片５１，５１’には、レール部材９７，９８の右端にある係止孔９７ｃ，９８ｃと連通する連通孔５１ａが形成されている。
【０１０５】
このように本実施形態では、基本機能モジュール４が埋込配設されるスイッチボックス９０、又は、造営材に設けた埋込用穴に基本機能モジュール４を埋込配設するために用いる取付枠７０に固定されるとともに、各機能モジュール４，５の連設方向に沿って配置されるレール部材９７，９８に対して、各拡張機能モジュール５ａ…を固定しているので、複数の拡張機能モジュール５ａ…を連設する場合でも拡張機能モジュール５ａ…を安定的に取り付けることができる。また各レール部材９７，９８は、取付枠７０又はスイッチボックス９０に固定される側と反対側の端部（右端部）が、ピンやタッピングねじなどのレール固定手段を用いて造営面に固定されているので、連設する拡張機能モジュール５ａ…の数が増えた場合でも、レール部材９７，９８の端部（右端部）が造営面から浮き上がるのを防止することができる。
【０１０６】
さらに、レール部材９７，９８には、電力供給を行うための電源ライン（導電板２３，２４）と、情報信号の伝達を行うための情報ライン（導電板２５，２６）とを設け、取付枠７０にレール部材９７，９８を固定した後、取付枠７０に取着されたゲート装置１に基本機能モジュール４を取り付けるとともに、レール部材９７，９８に各拡張機能モジュール５ａ〜５ｃを取り付けることで、各機能モジュール４，５ａ…をレール部材９７，９８の電源ラインと情報ラインとにそれぞれ接続しているので、レール部材９７，９８に対して拡張機能モジュール５ａ…を取り付けるだけで、各拡張機能モジュール５ａ…の固定と電気的接続とを行うことができる。
【０１０７】
また、本実施形態では電源ラインを構成する導電板２３，２４をレール部材９７にインサート成形により埋設固定し、情報ラインを構成する導電板２５，２６をレール部材９８にインサート成形により埋設固定しているので、各レール部材９７，９８の機械的強度が向上し、複数の拡張機能モジュール５ａ…を並設した場合でもレール部材９７，９８が変形しにくくなり、造営面からの浮き上がりを防止できる。なお本実施形態では電源ラインを構成する導電板２３，２４を両方共にレール部材９７に埋設固定し、情報ラインを構成する導電板２５，２６を両方共にレール部材９８に埋設固定しているが、何れか一方の導電板のみを埋設固定し、他の導電板はレール部材９７，９８の表面（前面又は後面）に絶縁した状態で取り付けるようにしても良い。
【０１０８】
また、本実施形態ではレール部材に対して拡張機能モジュール５をねじ固定しているが、図３０に示すようにレール部材９７の下部背面と、レール部材９８の上部背面とに係止溝９７ｄ，９８ｄを形成するとともに、拡張機能モジュール５のモジュール本体５０の背面に弾性係止爪片５０ａ，５０ａを突設し、各弾性係止爪片５０ａ，５０ａを係止溝９７ｄ，９８ｄに引掛係止することによって、拡張機能モジュール５をレール部材９７，９８に保持させても良い。なお上述したプレート枠８０においても、プレート枠８０の背面に係止溝を設けて、拡張機能モジュール５の弾性係止爪片５０ａを溝部に引掛係止させることでプレート枠８０に取り付けるようにしても良い。
【０１０９】
（参考例２）
本発明の参考例２を図２７〜図２９に基づいて説明する。基本構成で説明した配線システムでは、造営面に埋設されるスイッチボックス又は取付枠７０に固定されたプレート枠８０に対して拡張機能モジュール５ａ…を固定しているのに対して、本参考例では隣接する拡張機能モジュール５ａ…の間を機械的に連結する１乃至複数の連結具６１，６２を設け、少なくとも１つの連結具を造営面に固定することで、拡張機能モジュール５ａ…を造営面に対して安定に固定している。尚、拡張機能モジュール５ａ…を固定するための構成以外は基本構成で説明した配線システムと同様であるので、共通する構成要素には同一の符号を付して、その説明は省略する。
【０１１０】
拡張機能モジュール５ａ…のモジュール本体５０，５０’は、基本構成で説明した配線システムと同様に高さ寸法を埋込型配線器具の３個モジュール寸法に規格化するとともに、横幅寸法を１個モジュール寸法の整数倍に規格化し、またモジュール本体５０，５０’の両側面の形状は基本機能モジュール４の側面と同一形状とし、さらに背面を平坦な面に形成し、造営面（例えば壁面）に沿って配設できるようにしてある。そして、モジュール本体５０，５０’の上下位置には、図２８（ａ）（ｂ）に示すように、矩形板状の取付片５１，５１’を一体に形成してあり、各取付片５１，５１’の左右方向（連設方向）の両側部には、左右方向中央部に比べて前面部が背面側に後退した薄肉部５１ｂを形成し、各々の薄肉部５１ｂにねじ孔５１ｃを形成してある。
【０１１１】
一方、連結具６１は隣接する拡張機能モジュール５の間を連結するためのものであって、図２７及び図２９（ａ）に示すように略短冊状に形成され、背面の左右両側部には、拡張機能モジュール５の薄肉部５１ｂが入り込む凹部６１ａを形成してあり、薄肉部５１ｂのねじ孔５１ｃに対応する部位には固定ねじ６４を挿通する挿通孔６１ｂを形成してある。
【０１１２】
また連結具６２は、基本機能モジュール４に隣接する拡張機能モジュール５と取付枠７０との間を連結するためのものであって、図２７及び図２９（ｂ）に示すように略短冊状に形成され、背面の右端部（拡張機能モジュール５側の端部）には、拡張機能モジュール５の薄肉部５１ｂが入り込む凹部６２ａを形成してあり、薄肉部５１ｂのねじ孔５１ｃに対応する部位には固定ねじ６４を挿通する挿通孔６２ｂが形成してある。また連結具６２には、取付枠７０のねじ孔７７に対向する部位に、固定ねじ６４ａを挿通するための挿通孔６２ｃが形成されている。
【０１１３】
また連結具６３は、連結方向における基本機能モジュール４と反対側の端（本参考例では右端）に位置する拡張機能モジュール５を造営面に固定するためのものであって、図２７及び図２９（ｃ）に示すように略短冊状に形成されて、背面の左端部には、拡張機能モジュール５の薄肉部５１ｂが入り込む凹部６３ａを形成してあり、薄肉部５１ｂのねじ孔５１ｃに対応する部位には固定ピン６４ｂを挿通する挿通孔６３ｂが形成してある。
【０１１４】
連結具６１〜６３は以上のような構成を有しており、これらの連結具６１〜６３を用いて各機能モジュール４，５を固定するに当たっては、予め建物の適所（天井１００、壁１０１又は床１０２）に埋設してあるスイッチボックス９０から先行配線された電力線Ｌ１、情報線Ｌ２を引き出してゲート装置１に接続した後、このゲート装置１を取付枠７０を介してスイッチボックス９０に取り付ける。そして、ゲート装置１前面の各接続口２２，３２に対して、基本機能モジュール４の対応するコネクタ４２ａ，４２ｂを接続することにより、ゲート装置１の前面部を覆うようにして基本機能モジュール４を取り付ける。
【０１１５】
次に、基本機能モジュール４に並べて拡張機能モジュール５ａを配置した状態で、図２７に示すように両機能モジュール４，５ａ間に連結具６２を橋架するように配置して、連結具６２の挿通孔６２ｃに挿通した固定ねじ６４ａを取付枠７０のねじ孔７７に締結するとともに、連結具６２の挿通孔６２ｂに挿通した固定ねじ６４を取付片５１のねじ孔５１ｃに締結することで、拡張機能モジュール５ａを取付枠７０に固定する。
【０１１６】
その後、拡張機能モジュール５ａに並べて拡張機能モジュール５ｂを配置した状態で、両機能モジュール５ａ，５ｂの薄肉部５１ｂ，５１ｂの間に連結具６１を橋架するように配置して、連結具６１の挿通孔６１ｂ，６１ｂに挿通した固定ねじ６４，６４を各機能モジュール５ａ，５ｂのねじ孔５１ｃ，５１ｃに締結することで、両機能モジュール５ａ，５ｂ間を連結する。さらに拡張機能モジュール５ｂに並べて拡張機能モジュール５ｃを配置した状態で、両機能モジュール５ｂ，５ｃの間を連結具６１を介して連結した後、拡張機能モジュール５ｃの非連設側の薄肉部５１ｂの前面側に連結具６３を配置し、連結具６３の挿通孔６２ｂと薄肉部５１ｂのねじ孔５１ｃとに通した固定ピン６４ｂを造営面１１０に差し込むことによって、端末に位置する拡張機能モジュール５ｃの非連結側の端部を造営面１１０に固定する。
【０１１７】
このように本参考例では、スイッチボックス９０に固定される取付枠７０に連結具６２を介して拡張機能モジュール５ａを固定するとともに、隣接する拡張機能モジュール５ａ，５ｂ間、および、拡張機能モジュール５ｂ，５ｃ間を連結具６１を介してそれぞれ連結した後、連結方向の端末に位置する拡張機能モジュール５ｃを連結具６３を介して造営面１１０に固定しているので、複数の拡張機能モジュール５ａ…を連設する場合でも拡張機能モジュール５ａ…を安定的に取り付けることができ、また端末に位置する拡張機能モジュール５ｃが造営面１１０から浮き上がるのを防止することができる。
【０１１８】
なお本参考例では、連結具６３のみを造営面１１０に対して直接固定しているが、図２９（ｄ）に示すように連結具６１の左右方向中間部に挿通孔６１ｃを形成し、この挿通孔６１ｃに挿通した固定ピン６４ｂにより各連結具６１を造営面１１０に固定するようにしても良く、拡張機能モジュール５の固定をより安定に行うことができる。
【図面の簡単な説明】
【０１１９】
【図１】基本構成の配線システムに用いるゲート装置および拡張機能モジュールをプレート枠に取り付けた状態の正面図である。
【図２】同上に用いるゲート装置および拡張機能モジュールをプレート枠に取り付けた状態の正面図である。
【図３】同上の施工状態を示す正面図である。
【図４】同上の施工状態を示す側面図である。
【図５】同上に用いる基本機能モジュールをゲート装置から外した状態の斜視図である。
【図６】同上に用いる基本機能モジュールを裏側から見た斜視図である。
【図７】（ａ）は同上に用いる操作器型の拡張機能モジュールの正面図、（ｂ）は側面図である。
【図８】同上に用いるモニタ型の拡張機能モジュールの正面図である。
【図９】同上に用いるゲート装置および基本機能モジュールのブロック図である。
【図１０】同上に用いる拡張機能モジュールのブロック図である。
【図１１】同上に用いる拡張機能モジュールの機能部の一例を示すブロック図である。
【図１２】同上に用いる拡張機能モジュールの機能部の他の構成を示すブロック図である。
【図１３】同上に用いる基本機能モジュールの他の構成を示すブロック図である。
【図１４】同上の施工例を示した説明図である。
【図１５】同上のシステム構成図である。
【図１６】実施形態１の配線システムに用いるプレート枠の正面図である。
【図１７】（ａ）は同上に用いる基本機能モジュールのブロック図、（ｂ）は拡張機能モジュールのブロック図である。
【図１８】同上に用いる基本機能モジュールを裏側から見た斜視図である。
【図１９】（ａ）（ｂ）は同上に用いる拡張機能モジュールの背面図である。
【図２０】参考例１の配線システムに用いるプレート部材を取付枠に固定した状態の正面図である。
【図２１】同上に用いる化粧プレートの背面図である。
【図２２】同上に用いる化粧プレートに拡張機能モジュールを取り付けた状態の背面図である。
【図２３】実施形態２の配線システムに用いるプレート枠の正面図である。
【図２４】実施形態３の配線システムに用いるレール部材の正面図である。
【図２５】同上のレール部材に拡張機能モジュールを取り付けた状態の正面図である。
【図２６】同上の施工状態を示す正面図である。
【図２７】参考例２の配線システムに用いる各機能モジュールの施工状態を示す正面図である。
【図２８】（ａ）（ｂ）は同上に用いる拡張機能モジュールの正面図である。
【図２９】（ａ）〜（ｃ）は同上の拡張機能モジュールを連結具を用いて固定した状態を説明する断面図である。
【図３０】実施形態３に用いるレール部材への拡張機能モジュールの取付方法を説明する説明図である。
【符号の説明】
【０１２０】
４  基本機能モジュール
５ａ〜５ｃ  拡張機能モジュール
５１，５１’  取付片
８０  プレート枠
８５，８６  固定ねじ
【図１】
0004591340.tif 000002
【図２】
0004591340.tif 000003
【図３】
0004591340.tif 000004
【図４】
0004591340.tif 000005
【図５】
0004591340.tif 000006
【図６】
0004591340.tif 000007
【図７】
0004591340.tif 000008
【図８】
0004591340.tif 000009
【図９】
0004591340.tif 000010
【図１０】
0004591340.tif 000011
【図１１】
0004591340.tif 000012
【図１２】
0004591340.tif 000013
【図１３】
0004591340.tif 000014
【図１４】
0004591340.tif 000015
【図１５】
0004591340.tif 000016
【図１６】
0004591340.tif 000017
【図１７】
0004591340.tif 000018
【図１８】
0004591340.tif 000019
【図１９】
0004591340.tif 000020
【図２０】
0004591340.tif 000021
【図２１】
0004591340.tif 000022
【図２２】
0004591340.tif 000023
【図２３】
0004591340.tif 000024
【図２４】
0004591340.tif 000025
【図２５】
0004591340.tif 000026
【図２６】
0004591340.tif 000027
【図２７】
0004591340.tif 000028
【図２８】
0004591340.tif 000029
【図２９】
0004591340.tif 000030
【図３０】
0004591340.tif 000031